(57)【要約】      （修正有）【課題】  腰痛の障害を予防し、改善するための座板を提供することである。【解決手段】  腰椎障害予防、改善用座板１は、下方後方に傾斜する傾斜面を構成する前端面と、該傾斜前端面の下縁とつながる平坦な底面２Ｂと、前記傾斜前端面の上縁とつながる頂面２Ｃとを備えることを特徴とする。座板の頂面に腰掛けた使用者の座骨結節を、座板が傾斜前端面によって支持されているときに、座板本体２の頂面に設けられた座骨滑落防止部材３と、座板のの少なくとも一部の上、あるいは、座骨滑落防止部材の少なくとも一部の上に敷設された緩衝材を有する。【選択図】      図４
2006311945.tif 000002
【特許請求の範囲】
【請求項１】
下方後方に傾斜する傾斜面を構成する前端面と、該傾斜前端面の下縁とつながる底面と、前記傾斜前端面の上縁とつながる頂面とを備える、腰椎障害予防、改善用座板。
【請求項２】
前記座板の前記頂面に腰掛けた使用者の坐骨結節を、前記座板が前記傾斜前端面によって支持されているときに、前方から支持するための、前記座板本体の前記頂面に設けられた坐骨滑落防止部材とを有する、請求項１記載の座板。
【請求項３】
前記座板の前記頂面の少なくとも一部の上に敷設された緩衝材を有する、請求項１又は請求項２記載の座板。
【請求項４】
前記坐骨滑落防止部材の少なくとも一部の上に敷設された緩衝材を有する、請求項１乃至請求項３のいずれか一項に記載の座板。
【発明の詳細な説明】
【技術分野】
【０００１】
本発明は、座板に関し、特に、腰椎の障害を予防し、改善するための座板に関する。
【背景技術】
【０００２】
従来から、腰椎屈曲動作や、腰椎後弯姿勢(脊柱が後方に出っ張って曲がっている状態)が、腰椎の障害をおこし、腰痛や下肢痛の原因となることが、例えば非特許文献１から知られている。
【０００３】
【非特許文献１】マケンジーエクササイズ腰椎―構造的診断と治療法―  ロビン・マッケンジー著  江崎機械株式会社出版事業部
【０００４】
座位姿勢での腰椎前弯姿勢を誘導することが腰椎の障害の予防、改善に重要であるが、平坦な床上での座位や、平坦な椅子での座位においては腰椎後弯傾向が強くなりがちである（非特許文献1）。
【０００５】
腰椎の配列を改善するには、腰椎が前弯姿勢を取るように腰椎の土台となっている骨盤の角度を調整すれば良く、腰椎を前弯姿勢に保持するためには、骨盤を前傾させることが重要である。
【発明の開示】
【発明が解決しようとする課題】
【０００６】
座位において腰椎を前弯姿勢に保持する手段として座板に傾斜をつけることが考えられるが、座位において腰椎を前弯姿勢に固定してしまうのも、関節機能改善の観点から、望ましくない。
【０００７】
従って、本発明は、上述した課題を解決するために発明されたものであって、腰椎に前弯姿勢を中心とした動きを誘導する座板を提供することを目的とする。
【課題を解決するための手段】
【０００８】
上記目的を達成するため、本発明の腰椎障害予防、改善用座板は、下方後方に傾斜する傾斜面を構成する前端面と、該傾斜前端面の下縁とつながる底面と、前記傾斜前端面の上縁とつながる頂面とを備える、ことを特徴とする。
【０００９】
本発明の座板は、座板本体の前端面が傾斜されているので、使用者が、座板に腰掛け、前方に重心を移動させることによって、座板は、座板本体の前端面と底面との接合部を中心として回動し、座板本体の前端面によって支持されることになる。この状態において、座板頂面は前傾角度を有するため、骨盤を前傾させ、腰椎に前弯位を中心とした動きを誘導する。
【００１０】
また、座板本体の前端面によって座板が支持された状態から、使用者が重心を後方に移動させることによって、接合部を中心として後方に回動させ、再び、座板本体の底面によって支持される状態に座板を戻すことができる。よって、座位において腰椎が前弯姿勢に固定されてしまうのを防止することができる。
【００１１】
本発明では、前記座板頂面に腰掛けた使用者の坐骨結節を、前記座板が前記傾斜前端面によって支持されているときに、前方から支持するための、前記座板本体の前記頂面に設けられた坐骨滑落防止部材とを有するのが好ましい。
この構成によれば、座板頂面前傾時、使用者の坐骨結節は、臀部は座板の前方へ移動しようとするけれども、使用者の坐骨結節は、坐骨滑落防止部材によって支持されるので、座板から落ちることを防ぐことができる。また、使用者の坐骨結節は、坐骨滑落防止部材を支点として骨盤を前傾させ、腰椎に前弯位を中心とした動きを誘導する。よって、この坐骨結節を支点とする骨盤の前傾によって、腰椎は良好な関節機能を獲得することができる。
【００１２】
本発明では、前記座板の前記頂面の少なくとも一部の上に敷設された緩衝材を有するのが好ましい。
この構成によれば、使用者の坐骨部への圧力を分散させることができる。
【００１３】
本発明では、前記坐骨滑落防止部材の少なくとも一部の上に敷設された緩衝材を有するのが好ましい。
この構成によれば、坐骨滑落防止部材によって加えられる使用者の部位への圧力を分散させることができる。
【発明の効果】
【００１４】
本発明によれば、腰椎に前弯姿勢を中心とした動きを誘導する座板を提供することができる。
【発明を実施するための最良の形態】
【００１５】
以下、添付図面を参照して、本発明による座板の実施形態について説明する。
図１を参照すると、全体的に参照番号１で座板が示されている。
座板１は座板本体２を有し、座板本体２は、全体的にプレート状であり、下方後方に傾斜する傾斜面を構成する前端面２Ａを有する。この前端面２Ａの下縁には平坦な底面２Ｂがつながり、傾斜前端面２Ａの上縁には平坦な頂面２Ｃがつながっている。
【００１６】
座板本体２は、上に臀部を載置することができるように寸法形状決めされ、幅３０〜５０cm、奥行き２０〜４０cm、高さ３〜１０cmであるのが好ましい。また、座板本体２の頂面２Cと傾斜前縁部２Ａとが構成する角度は１０〜３０度が好ましい。
【００１７】
また、座板本体２は、発泡ポリウレタンや発泡ポリエチレンなどの樹脂、木材、金属、石材、コルク、陶器、ゴムなど、既存の座板に用いられている任意の材料で作られる。
【００１８】
座板１(座板本体２)に腰掛けた(臀部を載せた)使用者は、重心を前後に移動させることによって、座板１を、図２に示されるように座板本体２の底面２Ｂが床Ｆなどの支持面で支持される静止位置と、図３に示されるように座板本体２の傾斜前端面２Ａが床Ｆなどの支持面で支持される運動位置とに、選択的に位置させることができる。
【００１９】
座板本体２の頂面２Ｃには、傾斜前端面２Ａによって座板２が支持されているときに、座板本体２の頂面２Ｃに腰掛けた使用者の坐骨結節を前方から支持するための坐骨滑落防止部材、すなわち、坐骨滑落防止プレート３が設けられている。
坐骨滑落防止プレート３は、この実施形態では、座板本体２の頂面２Ｃの前端部において、その全幅に亘って延びる扁平直方体形状を有し、厚みは０．５〜２cmであるのが好ましい。
【００２０】
追加の構成要素である坐骨滑落防止プレート３は、使用者が座板本体２の頂面２Ｃに腰掛け、座板１を静止位置(図２)から運動位置(図３)に移動させたときに、図４に示すように、左右の坐骨結節を前方から支持し、坐骨が前方に滑落するのを防ぐと共に、坐骨結節を支点として骨盤を前傾させ、腰椎に前弯位を中心とした動きを誘導する。この坐骨結節を支点とする骨盤の前傾によって、腰椎は良好な関節機能を獲得することができる。
【００２１】
坐骨滑落防止プレート３は、使用者の坐骨結節を前方から支持することができれば十分であるから、当該機能を発揮しうる限り、その形状は任意である。図５、図６は、坐骨滑落防止プレート３と異なる形状を有する、変形実施形態の坐骨滑落防止プレート２０、３０を夫々示す。
【００２２】
図５に示す第１変形形態の坐骨滑落防止プレート２０は、座板本体２の頂面２Ｃの矩形形状に対応する形状を半円状に、或いは、三角形状に切り欠いた形状を有する。すなわち、坐骨滑落防止プレート２０の前端２１、両側端２２、後端両側部２３Ａ、２３Ｂは、座板本体２の頂面２Ｃの前端、両側端、後端両側部と夫々整合する直線であるのに対して、後端側部２３Ａの内方端と後端側部２３Ｂの内方端との間は前端２１に向かって突出する半円弧形、或いは、Ｖ字形であり、後端中央部２３Ｃを形成する。この形状の坐骨滑落防止プレート２０によれば、左右の坐骨結節を均等に支持することができる。
【００２３】
図６に示す第２変形例の坐骨滑落防止プレート３０は、坐骨滑落防止プレート３の幅方向中央部を前後方向に貫通するように切り欠いた形状を有する。この形状の坐骨滑落防止プレート３０によれば、左右の坐骨結節を左右の坐骨滑落防止プレート３０、３０によって均等に支持することができ、また、幅方向中央部が切りかかれているので、会陰部が坐骨滑落防止プレート３０に当たる不快感をなくすことができる。
【００２４】
坐骨滑落防止プレート３、２０、３０は、坐骨結節を支持することができ、所望の形状に形成することができる材料によって形成することができ、例えば、発泡ポリウレタンや発泡ポリエチレンなどの樹脂、木材、金属、石材、コルク、陶器、ゴムのいずれをも用いることができる。また、坐骨滑落防止プレート３、２０、３０は、座板本体２と一体形成しても良い。
【００２５】
図７は、追加の構成要素、すなわち、緩衝材４１を更に有する変形実施形態の座板４０を示す。座板４０は、緩衝材４１を有することを除き、その構成は、図１乃至図４に示す座板１と同じであるので、ここでは緩衝材４１についてのみ説明する。
【００２６】
緩衝材４１は、座板本体２の頂面２Ｃ上及び坐骨滑落防止プレート３上に敷設されるシート状部材であり、使用者の坐骨部への圧力を分散するのに役立つ。緩衝材４１に使用される材料は、圧力を分散できるものであれば良く、発泡ポリウレタンや発泡ポリエチレンなどの樹脂や、ゴムなど、座板に用いられる既存の緩衝材料で良い。緩衝材４１の厚さは、０．５〜２．０cmが好ましい。
【００２７】
上記構成の座板１(４０)では、図２に示す座板１(４０)の静止位置において、座板本体２の頂面２Ｃ(上の緩衝材４１)に使用者が腰掛け、次いで、使用者が重心を前方に移動させる。すると、座板１(４０)は、座板本体２の底面２Ｂと傾斜前端面２Ａとの接合部を中心に図２〜図４で見たとき反時計方向に回動し、ついには、図３に示されるように、座板本体２の傾斜前端面２Ａが床Ｆと接し、傾斜前端面２Ａで支持される。
【００２８】
座板１(４０)が傾斜前端面２Ａで支持される状態では、使用者の臀部は座板１(４０)の前方へ移動しようとするけれども、使用者の坐骨結節は、坐骨滑落防止プレート３(の後援部)によって支持される。同時に、使用者の坐骨結節は、坐骨滑落防止プレート３(の後援部)を支点として骨盤を前傾させ、腰椎に前弯位を中心とした動きを誘導する。この坐骨結節を支点とする骨盤の前傾によって、腰椎は良好な関節機能を獲得することができる。
【００２９】
使用者が重心を後方に移動させると、座板１(４０)は、座板本体２の底面２Ｂと傾斜前端面２Ａとの接合部を中心に図２〜図４で見たとき時計方向に回動し、再び、図２に示されるように、座板本体２の底面２Ｂで支持されることになる。これを繰り返すことにより、座位において腰椎が前弯姿勢に固定されてしまうのを防止することができる。
【００３０】
本発明は、上述した実施形態に限定されることなく以下のような種々の変更が可能である。
【００３１】
例えば、上記実施形態の座板１(４０)全体を布地で包むことによって外観を座布団のようにしても良い。
【００３２】
また、座板１(４０)の回動中心を構成する、座板本体２の底面２Ｂと傾斜前端面２Ａとの接合部に回動自在に回動軸を設け、この回動軸を床Ｆなどの支持面に取り付けても良いし、前記接合部に回動軸を固定し、この回動軸を床Ｆなどの支持面に回動自在に取り付けても良い。
【００３３】
更に、坐骨滑落防止プレート３、２０、３０は、いずれも板状であったけれども、これらの頂部の形状は任意の形状、例えば、大腿部を保持するのに適した形状に形作っても良い。
【００３４】
更にまた、緩衝材４１は、座板本体２の頂面２Ｃ上及び坐骨滑落防止プレート３、２０、３０上に敷設されていたけれども、座板本体２の頂面２Ｃ上の一部、及び／又は、坐骨滑落防止プレート３、２０、３０上の一部にのみ敷設しても良い。
【００３５】
また、座板本体２の底面２Ｂは、座板１を前後に揺動可能にするように、凸状弯曲面によって構成しても良い。
【図面の簡単な説明】
【００３６】
【図１】本発明による第１実施形態の座板の概略斜視図である。
【図２】図１の座板を静止位置で示す概略側面図である。
【図３】図１の座板を運動位置で示す概略側面図である。
【図４】座板の運動位置における坐骨結節の状態を示す、図３に対応する図である。
【図５】第１変形実施形態の坐骨滑落防止プレートを示す平面図である。
【図６】第２変形実施形態の坐骨滑落防止プレートを示す平面図である。
【図７】本発明による第２実施形態の座板の概略側面図である。
【符号の説明】
【００３７】
１  座板
２  座板本体
２Ａ  前端面
２Ｂ  底面
２Ｃ  頂面
【図１】
2006311945.tif 000003
【図２】
2006311945.tif 000004
【図３】
2006311945.tif 000005
【図４】
2006311945.tif 000006
【図５】
2006311945.tif 000007
【図６】
2006311945.tif 000008
【図７】
2006311945.tif 000009